【手続補正書】
【提出日】平成18年1月26日(2006.1.26)
【手続補正１】
【補正対象書類名】特許請求の範囲
【補正対象項目名】全文
【補正方法】変更
【補正の内容】
【特許請求の範囲】
【請求項１】
ビデオ・プレゼンテーションの１倍より速い速度のビデオ・トリック・モード再生時にオーディオ・プログラムを再生する方法であって、
記憶媒体から情報を取り出して、あるプレゼンテーションの少なくとも１つのビデオ部分とそれに対応し、且つ、相対的無音期間を有するオーディオ部分とを生成するステップと、
前記プレゼンテーションの前記オーディオ部分を選択的にゲーティング制御して、前記各相対的無音期間の少なくとも一部を削除するステップと、
前記各相対的無音期間の前記少なくとも一部を削除した後、前記プレゼンテーションの前記オーディオ部分の残留部分を再生用に連結するステップと、を含む、前記方法。
【請求項２】
前記ゲーティング制御して削除するステップが、選択されたビデオ・トリック・モード再生速度に基づいて、前記各相対的無音期間の割合部分を選択的に削除することを含む、請求項１記載の方法。
【請求項３】
前記ゲーティング制御して削除するステップが、更に、前記連結するステップ後に再生しようとする前記オーディオ部分と前記ビデオ部分とを同期させるのに必要な最適化割合部分を決定することを含む、請求項２記載の方法。
【請求項４】
前記ゲーティング制御して削除するステップが、更に、より速いビデオ・トリック・モード再生速度に対して、前記割合部分を増加することを含む、請求項２記載の方法。
【請求項５】
前記ゲーティング制御して削除するステップが、選択されたビデオ・トリック・モード再生速度に基づいて、ゲーティング閾値を選択的に設定することを含む、請求項１記載の方法。
【請求項６】
前記ゲーティング制御して削除するステップが、更に、前記連結するステップ後に再生しようとする前記オーディオ部分と前記ビデオ部分とを同期させるのに必要な最適化ゲーティング閾値を決定することを含む、請求項５記載の方法。
【請求項７】
前記ゲーティング制御して削除するステップが、更に、より速いビデオ・トリック・モード再生速度に対して、前記ゲーティング閾値を増加することを含む、請求項５記載の方法。
【請求項８】
ビデオ・プレゼンテーションの１倍より速い速度のビデオ・トリック・モード再生時にオーディオ・トラックを再生する装置であって、
記憶媒体から情報を取り出して、あるプレゼンテーションの少なくとも１つのビデオ部分とそれに対応し、且つ、相対的無音期間を含むオーディオ部分とを生成する記憶媒体読み取り装置と、
前記プレゼンテーションの前記オーディオ部分を選択的にゲーティング制御して、前記各相対的無音期間の少なくとも一部を削除するオーディオ・ゲートと、
前記各相対的無音期間の前記少なくとも一部を削除した後、前記プレゼンテーションの前記オーディオ部分の残留部分を再生用に連結するオーディオ・プロセッサと、を含む、前記装置。
【請求項９】
選択されたビデオ・トリック・モード再生速度に基づいて、前記各相対的無音期間の削除すべき割合部分を選択的に決定する処理手段を含む、請求項８記載の装置。
【請求項１０】
前記処理手段が、前記連結後に再生しようとする前記オーディオ部分と前記ビデオ部分とを同期させるのに必要な最適化割合部分を決定する、請求項９記載の装置。
【請求項１１】
前記処理手段が、より速いビデオ・トリック・モード再生速度に対して、前記割合部分を選択的に増加する、請求項９記載の装置。
【請求項１２】
選択されたビデオ・トリック・モード再生速度に基づいて、ゲーティング閾値を選択的に設定する処理手段を含む、請求項８記載の装置。
【請求項１３】
前記処理手段が、前記連結後に再生しようとする前記オーディオ部分と前記ビデオ部分とを同期させるのに必要な最適化ゲーティング閾値を選択的に決定する、請求項１２記載の装置。
【請求項１４】
前記処理手段が、より速いビデオ・トリック・モード再生速度に対して、前記ゲーティング閾値を選択的に増加する、請求項１２記載の装置。
【手続補正２】
【補正対象書類名】明細書
【補正対象項目名】発明の名称
【補正方法】変更
【補正の内容】
【発明の名称】オーディオ・プログラムを再生する方法およびオーディオ・トラックを再生する装置
【手続補正３】
【補正対象書類名】明細書
【補正対象項目名】００１１
【補正方法】変更
【補正の内容】
【００１１】
また、上記プロセッサは、選択されたビデオ・トリック・モード再生速度に基づいて、ゲーティング閾値を選択的に設定できる。一実施形態に従えば、上記プロセッサは、上記連結後に再生すべきオーディオ部分とビデオ部分とを同期させるのに必要な最適化ゲーティング閾値を選択的に決定する。一般的に、上記プロセッサは、より速いビデオ・トリック・モード再生速度に対して、ゲーティング閾値を選択的に増加する。
特許請求の範囲と実施例との対応関係を実施例で使われている参照符号を用いて示すと以下の通りである。
（請求項１）
ビデオ・プレゼンテーションの１倍より速い速度のビデオ・トリック・モード再生時にオーディオ・プログラムを再生する方法であって、
記憶媒体から情報を取り出して、あるプレゼンテーションの少なくとも１つのビデオ部分とそれに対応し、且つ、相対的無音期間を有するオーディオ部分とを生成するステップ（３０６）と、
前記プレゼンテーションの前記オーディオ部分を選択的にゲーティング制御して、前記各相対的無音期間の少なくとも一部を削除するステップ（３０８）と、
前記各相対的無音期間の前記少なくとも一部を削除した後、前記プレゼンテーションの前記オーディオ部分の残留部分を再生用に連結するステップ（３１０）と、を含む、前記方法。
（請求項２）
前記ゲーティング制御して削除するステップが、選択されたビデオ・トリック・モード再生速度に基づいて、前記各相対的無音期間の割合部分を選択的に削除することを含む、請求項１記載の方法。
（請求項３）
前記ゲーティング制御して削除するステップが、更に、前記連結するステップ（３１０）後に再生しようとする前記オーディオ部分と前記ビデオ部分とを同期させる（３１２）のに必要な最適化割合部分を決定する（３１４）ことを含む、請求項２記載の方法。
（請求項４）
前記ゲーティング制御して削除するステップ（３０８）が、更に、より速いビデオ・トリック・モード再生速度に対して、前記割合部分を増加することを含む、請求項２記載の方法。
（請求項５）
前記ゲーティング制御して削除するステップ（３０８）が、選択されたビデオ・トリック・モード再生速度に基づいて、ゲーティング閾値を選択的に設定することを含む、請求項１記載の方法。
（請求項６）
前記ゲーティング制御して削除するステップ（３０８）が、更に、前記連結するステップ後に再生しようとする前記オーディオ部分と前記ビデオ部分とを同期させるのに必要な最適化ゲーティング閾値を決定することを含む、請求項５記載の方法。
（請求項７）
前記ゲーティング制御して削除するステップ（３０８）が、更に、より速いビデオ・トリック・モード再生速度に対して、前記ゲーティング閾値（２０２）を増加することを含む、請求項５記載の方法。
（請求項８）
ビデオ・プレゼンテーションの１倍より速い速度のビデオ・トリック・モード再生時にオーディオ・トラックを再生する装置であって、
記憶媒体（１０２）から情報を取り出して、あるプレゼンテーションの少なくとも１つのビデオ部分とそれに対応し、且つ、相対的無音期間を含むオーディオ部分とを生成する記憶媒体読み取り装置（１０８）と、
前記プレゼンテーションの前記オーディオ部分を選択的にゲーティング制御して、前記各相対的無音期間の少なくとも一部を削除するオーディオ・ゲート（１８３）と、
前記各相対的無音期間の前記少なくとも一部を削除した後、前記プレゼンテーションの前記オーディオ部分の残留部分を再生用に連結するオーディオ・プロセッサ（１８３ａ）と、を含む、前記装置。
（請求項９）
選択されたビデオ・トリック・モード再生速度に基づいて、前記各相対的無音期間の削除すべき割合部分を選択的に決定する処理手段（１２２）を含む、請求項８記載の装置。
（請求項１０）
前記処理手段（１２２）が、前記連結後に再生しようとする前記オーディオ部分と前記ビデオ部分とを同期させるのに必要な最適化割合部分を決定する、請求項９記載の装置。
（請求項１１）
前記処理手段（１２２）が、より速いビデオ・トリック・モード再生速度に対して、前記割合部分を選択的に増加する、請求項９記載の装置。
（請求項１２）
選択されたビデオ・トリック・モード再生速度に基づいて、ゲーティング閾値（２０２）を選択的に設定する処理手段（１８３ｂ）を含む、請求項８記載の装置。
（請求項１３）
前記処理手段が、前記連結後に再生しようとする前記オーディオ部分と前記ビデオ部分とを同期させるのに必要な最適化ゲーティング閾値を選択的に決定する、請求項１２記載の装置。
（請求項１４）
前記処理手段が、より速いビデオ・トリック・モード再生速度に対して、前記ゲーティング閾値を選択的に増加する、請求項１２記載の装置。